(57)【要約】【課題】  本発明は、横枠と竪枠を斜めに連結するものであっても、精度良く確実に連結できる枠体を提供することにある。【解決手段】  竪枠３，３と横枠１と竪枠３，３と横枠１とを斜めに連結する連結ネジ５と座金６とを備え、座金６は、連結ネジ５のネジ頭部５ｂが当接する鉛直当接面６ａと、竪枠３，３に当接する傾斜当接面６ｂと、鉛直当接面６ａと傾斜当接面６ｂの間を貫通して連結ネジ５の軸部５ａが挿通する挿通孔７とを有しており、連結ネジ５は、軸部５ａのネジ頭部５ｂ側端部にネジ山のない部分５ｄを有し、ネジ山のない部分５ｄの軸部挿通方向の長さａは、挿通孔７の軸部挿通方向の最長部の長さｂより長いものであることを特徴とする。【選択図】      図１（ａ）（ｂ）（ｃ）（ｄ）
2010048061.tif 000002
【特許請求の範囲】
【請求項１】
竪枠と横枠と竪枠と横枠とを斜めに連結する連結ネジと座金とを備え、座金は、連結ネジのネジ頭部が当接する鉛直当接面と、竪枠に当接する傾斜当接面と、鉛直当接面と傾斜当接面の間を貫通して連結ネジの軸部が挿通する挿通孔とを有しており、連結ネジは、軸部のネジ頭部側端部にネジ山のない部分を有し、ネジ山のない部分の軸部挿通方向の長さは、挿通孔の軸部挿通方向の最長部の長さより長いものであることを特徴とする枠体。
【発明の詳細な説明】
【技術分野】
【０００１】
本発明は、横枠と竪枠を斜めに連結する枠体に関するものである。
【背景技術】
【０００２】
横框にアール框を使用するドアがあり、一般的な矩形枠では横框の傾斜に対応できないことから専用の枠体が必要であった。そこで従来は、図４（ａ）（ｂ）のように、上枠（横枠）２１と竪枠２３を連結するときに、竪枠２３の上枠２１と当接する側とは反対側の側壁面２３ａから連結ネジ２５を上枠２１の傾斜に合わせて斜めにねじ込むものであり、竪枠２３とネジ頭部２５ｂの間には、一端側に傾斜当接面２６ａを有し且つ他端側に鉛直当接面２６ｂを有する座金２６を挟み、座金２６の両当接面２６ａ，２６ｂが上枠２１及び竪枠２３の当接側壁面２３ｂと連結ネジ２５のネジ頭部２５ｂに対して面同士が当接するように連結するものであった。
【発明の開示】
【発明が解決しようとする課題】
【０００３】
上記のような枠体を組み立てるときに、あらかじめ連結ネジを座金に挿通した状態で、横枠と竪枠との当接端面にあるネジ孔にねじ込むものであったが、ネジ孔が竪枠の奥まった位置にあることから、作業者側からはネジ孔が見えなくなってしまうため、連結ネジを手探りでねじ込む必要があった。しかしながら、図４（ｂ）中の丸数字１ように、従来使用される連結ネジ２５は、軸部の略全長にわたってネジ山が設けてあり、このような連結ネジに座金を挿通してねじ回ししたときには、ネジ山と座金内径側面との摩擦抵抗が大きくなって引掛かりやすくなり、連結ネジと座金が一緒に回転してしまうことがあった。そうすると、連結ネジを横枠２１のタッピングホール３０に最後までねじ込んだときに、図４（ｂ）中の丸数字２のように、座金２６の傾斜当接面２６ａ側端部の先端２６ｃが竪枠２３の当接側壁面２３ｂに当接したままネジ頭部２５ｂで押圧され、傾斜当接面２６ａと当接側壁面２３ｂとが面同士で当接していない状態のまま連結されることがあり、そのような状態のまま上枠と縦枠が連結されても、上記のようにネジ孔が竪枠内に隠れてしまうものであったから、作業者がその状況を確認できないため、そのまま製品として出荷されてしまえば、現場に枠体を施工した後に横枠と竪枠の間に隙間が生じてガタつくなどのクレームが発生する問題があった。
本発明は、上記課題を鑑みてなされたものであり、横枠と竪枠を斜めに連結するものであっても、精度良く確実に連結できる枠体を提供することにある。
【課題を解決するための手段】
【０００４】
本発明は、竪枠と横枠と竪枠と横枠とを斜めに連結する連結ネジと座金とを備え、座金は、連結ネジのネジ頭部が当接する鉛直当接面と、竪枠に当接する傾斜当接面と、鉛直当接面と傾斜当接面の間を貫通して連結ネジの軸部が挿通する挿通孔とを有しており、連結ネジは、軸部のネジ頭部側端部にネジ山のない部分を有し、ネジ山のない部分の軸部挿通方向の長さは、挿通孔の軸部挿通方向の最長部の長さより長いものであることを特徴とする。
【発明の効果】
【０００５】
本発明によれば、連結ネジのネジ頭部側端部に設けてあるネジ山のない部分は、座金内径の軸部挿通方向の最長部分よりも長いものであることから、アール状をなす上枠と垂直な竪枠を連結するときに、連結ネジを座金に挿通した状態でねじ込み、座金の傾斜当接面の先端部が竪枠の上枠と当接する側にある当接側壁面に到達したときに、連結ネジのねじ山のない部分が座金内径側面に位置するので、連結ネジが回転したときの連結ネジと座金との摩擦抵抗が小さくなって引掛かりがほとんどなくなる。そうすることで、座金が連結ネジの回転に影響されずに、連結ネジのみが上枠のタッピングホールにねじ込まれていき、このときにネジ頭部で鉛直当接面を押された座金は、次第に竪枠の当接側壁面に引き寄せられて挿通した軸部を軸として回転し、傾斜当接面が面同士で当接する。このことから、枠組みのときに、ネジ孔が作業者側から見えない状態にあっても座金の傾斜当接面が竪枠に確実に面同士で当接するので、上枠と竪枠がガタツキなく精度よく確実に連結された枠体を提供できる。
【発明を実施するための最良の形態】
【０００６】
以下に、図面に基づいて本実施による枠体の実施の形態を説明する。
図１（ａ）〜（ｄ）は、本実施による枠体を示すものであり、（ａ）は、枠体の全体を示す正面図であり、（ｂ）は、枠体に使用する連結ネジ及び座金を示す座金のみを縦断面した図であり、（ｃ）は、（ｂ）中Ｂを拡大した縦断面図であり、（ｄ）は、（ａ）中Ａを拡大して示す一部を切欠した正面図である。
図２（ａ）〜（ｂ）は、上枠と竪枠を取り付けるときの連結ネジと座金の状態を示す縦断面図である。
【０００７】
本実施による枠体は、図１（ａ）のように、中空形材からなる上枠１と下枠２と左右の竪枠３，３とを備えており、上枠１は略中央が上向きに突出した略山形状に傾斜したものであり、また、図１（ｄ）のように、竪枠３上端側の小口には小口キャップ１１が嵌合してあり、上枠１と竪枠３とのコーナー部を連続的な意匠とするもので、小口キャップ１１は、竪枠３の中空部内への連結ネジ５の挿通を妨げないように、複数の長孔１１ｂが設けてある。そして、上枠１と竪枠３を連結する連結ネジ５と座金６は、図１（ｂ）に示すように、まず、連結ネジ５は、一般的なネジと同様に軸部５ａとネジ頭部５ｂとからなっており、軸部５ａのネジ頭部５ｂ側はネジ山のない部分５ｄが設けてあり、図１（ｃ）のように、このネジ山のない部分５ｄの長さ（図１（ｃ）中のａ）は、座金の挿通孔の軸部挿通方向の最長部（図１（ｃ）中のｂ）よりも軸部挿通方向に長く形成してある。次に、座金６は、円筒状の一端側に傾斜当接面６ｂを有し、他端側に鉛直当接面６ａを有しており、その内径に有する挿通孔７は、連結ネジ５の軸部５ａよりも僅かに径が大きく形成してある。
【０００８】
図２（ａ）〜（ｃ）に基づき、上記した連結ネジ５と座金６を使用し、上枠１と竪枠３を連結したときの連結ネジ５のねじ込まれる状態について説明する。
まず、図２（ａ）のように、上枠１と竪枠３を所定の位置で当接し、竪枠３における上枠１と当接する側とは反対側の側壁部３ａに設けてある長孔８に、あらかじめ座金６を軸部５ａに挿通してある連結ネジ５を差し込み、そのまま竪枠３の形材中空部を抜けて上枠１と当接する側の側壁部３ｂに設けてあるネジ孔９に軸部先端５ｅを挿通する。そして図２（ｂ）のように、ネジ孔９を相通した連結ネジ５の軸部先端５ｅを上枠１のタッピングホール１０にねじ込んでいくと、座金６の鉛直当接面６ａにネジ頭部５ｂが当接し、座金６の傾斜当接面６ｂ側における外形側端部の最長部６ｃが、竪枠３における上枠１と当接する側の側壁部３ｂに当接する。このとき、座金６の内径と連結ネジ５の軸部５ａのネジ山のない部分５ｃが当接するが、ネジ山５ｃがないために引掛かりがなく摩擦抵抗が小さいことから、座金６が次第に引き寄せられて傾斜当接面６ｂが上記竪枠３の側壁部３ｂの当接端面に面同士で当接し、図２（ｃ）のように、座金６の傾斜当接面６ｂと竪枠３の側壁部３ｂの当接端面、及び座金６の鉛直当接面６ａと連結ネジ５のネジ頭部５ｂがすべて面同士で当接することから、上枠１と竪枠３との確実な連結がなされる。
【０００９】
本発明の枠体は、上記実施のものに限らず、図３のように、連結ネジ１５として、軸部１５ａの先端部にネジ山のない部分１５ｄを設けたものでもよい。このようにすると、軸部先端側のネジ山のない部分１５ｄが竪枠３の長孔８及びネジ孔９、上枠１のタッピングホール１０の周部に引掛かることなく滑らかに挿通されていくので、連結ネジ１５のねじ込みのときのガイド的な役割を果たし、枠組み作業を円滑に行えるようになる（図１（ｄ）もあわせて参照）。尚、図３中の符号１５ｂはネジ頭部であり、１５ｃはネジ山である。
【図面の簡単な説明】
【００１０】
【図１（ａ）（ｂ）（ｃ）（ｄ）】本実施による枠体を示すものであり、（ａ）は、全体を示す正面図であり、（ｂ）は、（ａ）中Ａを拡大して示す一部を切欠した正面図であり、（ｃ）は、（ｂ）中Ｂを拡大した縦断面図であり、（ｄ）は、（ａ）中Ａを拡大して示す一部を切欠した正面図である。
【図２（ａ）（ｂ）（ｃ）】（ａ）〜（ｃ）は、本実施による枠体の上枠と竪枠を取り付けるときの手順を示す一部を拡大した正面図である。
【図３】本実施による枠体を構成する連結ネジの他の実施形態を示す側面図である。
【図４（ａ）（ｂ）】（ａ）は、従来のこの種の枠体の取付状態を示す斜視図であり（ｂ）の丸囲み数字１と２は、（ａ）中Ｃを拡大して連結ネジがねじ込まれる状態を示す縦断面図である。
【符号の説明】
【００１１】
１  上枠（横枠）
２  下枠（横枠）
３  竪枠
５  連結ネジ
５ａ  軸部
５ｂ  ネジ頭部
５ｄ  ねじ山のない部分
６  座金
６ａ  鉛直当接面
６ｂ  傾斜当接面
ａ  ねじ山のない部分の軸部挿通方向における長さ
ｂ  挿通孔の軸部挿通方向の最長部における長さ
【図１（ａ）（ｂ）（ｃ）（ｄ）】
2010048061.tif 000003
【図２（ａ）（ｂ）（ｃ）】
2010048061.tif 000004
【図３】
2010048061.tif 000005
【図４（ａ）（ｂ）】
2010048061.tif 000006